(57)【要約】【目的】モデル化できる銃の種類が制限されない電動式玩具銃を提供する。【構成】銃身後部の装弾部１４に配置された弾丸Ｂに対して圧縮空気を噴射し、発射可能とする機構としてピストンシリンダー部を有し、その駆動を電動で行なう玩具銃１０において、ピストンシリンダー部を銃本体１１のグリップ部側に配置するとともに、ピストン２１の後退に伴い発射ばね２５を蓄圧する電動機構をグリップ部側に設け、電動機構に給電する電源４８として、電池を銃身部に配置したもの。【選択図】        図１
2005030684.tif 000002
【特許請求の範囲】
【請求項１】
銃身後部の装弾部に配置された弾丸に対して圧縮空気を噴射し、発射可能とする機構としてピストンシリンダー部を有し、当該ピストンシリンダー部の駆動を電動で行なう玩具銃において、ピストンシリンダー部を銃本体のグリップ部側に配置するとともに、ピストンの後退に伴い発射ばねを蓄圧する電動機構をグリップ部側に設け、電動機構に給電する電源として、電池を銃身に沿って銃身部に配置した構成を有する電動式玩具銃。
【請求項２】
電動機構は、モーターの回転をピストンに伝達する歯車組を備えており、その中のセクターギヤに設けた無歯部を早戻り部として、発射ばねの蓄圧を解放する構成を有している請求項１記載の電動式玩具銃。
【請求項３】
弾丸を装弾部に装填可能とするために、装弾部の弾丸に対して圧縮空気を噴射するためのノズルを後退させるノズル後退部を設け、当該ノズル後退部をセクターギヤと連動させる構成を有している請求項１記載の電動式玩具銃。
【請求項４】
電源部は複数個の電池群で構成され、銃身の下の空所内部を収容部として配置されており、コードを介して又はコードレスで電動機構に接続されている請求項１記載の電動式玩具銃。
【発明の詳細な説明】
【０００１】
【発明の属する技術分野】
本発明は、銃身後部の装弾部に配置された弾丸に対して圧縮空気を噴射し、発射可能とする機構としてピストンシリンダー部を有し、当該ピストンシリンダー部の駆動を電動で行なう玩具銃に関するものである。
【０００２】
【従来の技術】
弾丸を発射するためのエア（圧縮空気）を、ピストンシリンダー装置によって得る電動式の玩具銃は公知であり、本件出願人も特開平６−２３５５９７号等を出願し、また製品化をしている。しかし従来の電動式玩具銃の場合、ピストンシリンダー装置と銃身とを同軸上に配置する構成を取っており、そのため前後に長くなるので、モデル化できる銃の種類が制限されるという問題を生じていた。
【０００３】
これに対して、ピストンシリンダー装置を銃身側にではなく、グリップ側に配置することも考えられないではなかったが、その場合、電源をどうするかということが問題となる。従来の電動式玩具銃ではグリップ部内に電池を内蔵するか、外部電源としていたが、内蔵すると電池とピストンシリンダー装置をグリップ部に収めることになり、ピストンシリンダー装置の容量及び電池容量が益々不足して実用性に乏しいものとなる。
【０００４】
【発明が解決しようとする課題】
本発明は前記の点に着目してなされたもので、その課題は、モデル化できる銃の種類が制限されない電動式玩具銃を提供することである。また本発明の他の課題は、ピストンシリンダー装置を銃身と同軸に配置しなくても必要十分な威力を得ることができるとともに、電源電池を無理なく収められる電動式玩具銃を提供することである。
【０００５】
【課題を解決するための手段】
前記の課題を解決するため、本発明は、ピストンシリンダー部を銃本体のグリップ部側に配置するとともに、ピストンの後退に伴い発射ばねを蓄圧する電動機構をグリップ部側に設け、電動機構に給電する電源として、電池を銃身に沿って銃身部に配置するという手段を講じたものである。
【０００６】
この玩具銃は、銃身後部の装弾部に配置される弾丸に対して圧縮空気を噴射し、発射可能とする機構としてピストンシリンダー部を有し、当該ピストンシリンダー部の駆動を電動で行なう方式の点では、在来のものと共通性を有している。しかし、本発明において、ピストンシリンダー部は、ピストンの後退に伴い発射ばねを蓄圧する電動機構を有しており、ピストンの前進時には、電動機構でなく発射ばねの蓄力が使われる。
【０００７】
本発明において、ピストンシリンダー部は、これを駆動する電動機構とともに、銃本体のグリップ部側に設けられる。ピストンシリンダー部と電動機構とをグリップ部側に設けることにより、銃身部後方の長さが相対的に短いピストル型の玩具銃に本発明を適用することが容易になるほか、銃身部後方の長さが長い型の玩具銃にも本発明を適用することも可能であるから、モデル化できる玩具銃の種類も多様となる。
【０００８】
本発明では、電動機構に給電する電源として、電池を銃身に沿って、銃身部に配置している。この電源電池は、銃身の周囲の適当な箇所に設けられ、銃本体の内部に装着する形式を取るのが望ましい。しかしながら、銃の一部としての外形を持つケーシングを形成し、その中に電源電池を内蔵し、銃本体に脱着するような形態を取ることも可能である。
【０００９】
ピストンシリンダー部は、銃身と同軸配置される従来のピストンシリンダー装置に比較すると、断面積を相対的に大きく、ストロークを相対的に短く設定され、シリンダー容量は従来装置と大きな差ができないように配慮されている。このため、１回の発射行程で使用可能な圧縮空気量も、従来と比較して大差がなく、従来同様の発射能力が維持される。
【００１０】
ピストンに作用する発射ばねの蓄圧のための電動機構は、モーターの回転をピストンに伝達する歯車組を備えていて、その中のセクターギヤに設けた無歯部を早戻り部として、発射ばねの蓄圧を解放する構成を有することが望ましい。この構成自体格別のものではないが、ピストンを可能な限り早く前進させるために、本発明ではより強力な発射ばねを使用するので、電動機構の歯車組による減速も、強力な発射ばねに対応可能なものとなる。
【００１１】
なお、弾丸を装弾部に装填可能とするために、装弾部の弾丸に対して圧縮空気を噴射するためのノズルを後退させるノズル後退部を設け、当該ノズル後退部をセクターギヤに連動させる構成を取ることができる。セクターギヤは、弾丸発射操作の都度回転するので、セクターギヤとの連動によりノズルを後退させることで、装弾部との間を一時的に開き、そこへ１発ずつ弾丸を送り込む構成をとることができる。
【００１２】
【発明の実施の形態】
以下図面を参照し、本発明の実施の形態を詳細に説明する。図において、１１はピストル型玩具銃の本体を示しており、内部に銃身１２を設けた銃身部と、その後方下部に位置するグリップ部１３とを有している。
【００１３】
銃身１２の後端部内には１発の弾丸Ｂを係止し得る装弾部１４が設けられており、装弾部１４の後方には、装弾部１４に向けてエアを噴射するためのノズル１５が前進後退可能に、かつ前方へばね１６により付勢された状態で設けられている。ノズル内エア通路の上流端は開口として、ピストンシリンダー部のシリンダー１７の吐出口１８に通じている。シリンダー１７は、グリップ部１３の内部空間において可能な限り大径とすることにより最大限度の排気量を確保しており、装弾部１４まで殆ど抵抗なくエアが噴出するように設けられている。１９はばね受け部材を示す。
【００１４】
シリンダー１７にはピストン２１が摺動可能に嵌挿されており、摺動部には、Ｏ−リングとして示されたシールリング２２が取り付けられている。ピストン２１は摺動方向に伸びたピストンロッド２３を有し、ピストンロッド２３の外側に沿ってラック２４が設けられ、かつまたピストン２１にはピストン２１を前身方向へ付勢するために強力な発射ばね２５が作用している。発射ばね２５の他端は、ピストン２１の下方に、ピストン２１に対して伸縮可能に設けられたばね受け２６に支えられている。
【００１５】
ラック２４は、歯車組３０のセクターギヤ２７と噛み合い可能かつその無歯部２８においては噛み合わないように設けられており、セクターギヤ２７を含む歯車組は、その末端において電動機構を構成するモーター２９の軸に取り付けられた出力ギヤと噛み合っている。モーター２９はグリップ内の最下部のスペース内に収まるように、かつまた歯車組３０によりピストン側のラック２４と連絡可能な位置に取り付けられている。
【００１６】
また、圧縮空気を噴射するノズル１５をばね１６に抗して後退させ、弾丸Ｂを装弾部１４へ装填可能とするために、ノズル後退部３１が、歯車組３０とノズル１５とを連絡する位置に設けられている。例示の後退部３１は、セクターギヤ２７と同軸に設けられたノズル連絡用の回転突部３２と、同突部３２の回転により押し上げられるノズル連絡用のロッド３３と、ロッド３３により回転するカム３４及びカム３４と係合しその回転を受けてノズル側部材を後退させる連絡部３５とを有している。
【００１７】
ノズル１５の後退により、ノズル先端と装弾部１４との間に弾丸Ｂを配置する弾丸供給部３６がグリップ部１３の前寄りの位置に設けられている。例示の弾丸供給部３６は、グリップ下部から装弾部後部に向かって斜めに伸びており、弾丸Ｂを押し出す押し出し部３７とこれを押し出し方向へ押す押しばね３８とを有している。
【００１８】
引き金４１の操作によりピストンシリンダー部及び弾丸装填用の後退部３１を連動させる機構が設けられている。４２は引き金４１と可動スイッチ接片４３とを連結するトリガーバー、４４はスイッチ端子であり、引き金操作でスイッチ接片４３が接触又は離れるようになっている。４５はトリガー側の連絡子であり、発射モードをフルオートモードかセミオートモードかに切り換えるモードセレクター４６によって操作され、フルオートモードではカットオフ部材４７の一部がトリガー側の連絡子４５と接触しないことにより連続発射を可能とする。
【００１９】
本発明では、電動機構を構成するモーター２９への給電のための電源部４８として電池を銃身部に銃身に沿って設けている。例示の電源部４８は２列の電池群で構成され、銃身１２の下の空所内部を収容部４０として斜めに配置されており、コードレス配線により電動機構に接続され、コネクター部分で着脱して充電若しくは交換することができる。５３は着脱可能な上部カバーであり、ピストルのスライドを模した外形を有している。斯くして電源部４８の電池は、銃身下の収容部４０に組み込まれるとともに係合部５４で上方への抜け出しが防止され、さらに上部カバー５３により覆われた状態で銃本体１３と一体化した状態にある。
【００２０】
このように構成された本発明の電動式玩具銃１０の作動について図３以下を参照して説明する。図３はセミオートモード、かつ発射前の状態を示しており、引き金４１を引くと、トリガーバー４２が前進し、スイッチ接片４３がスイッチ端子４４に接触して通電状態となり、電源部４８からモーター２９への通電がなされて歯車組３０が回転し始める。図４の状態である。
【００２１】
ピストン２１はラック２４と噛み合うセクターギヤ２７により圧縮動作に入り、発射ばね２５を圧縮する状態となる。これと併行してセクターギヤ２７と同時回転する回転突部３２により連絡用のロッド３３が押し上げられ、ノズルカム３４を介してノズル側部材の連絡部３５を後方へ押すので（図５）、ノズル１５が後退し、装弾室１４との間に弾丸Ｂが１発供給されることになる。その後ばね１６によりノズル１５が前進し装填が完了する。
【００２２】
ピストン２１が限界まで後退し、セクターギヤ２７がラック２４から外れると、発射ばね２５により急速な前進運動を行なうようになるが、セクターギヤ２７がラック２４から外れた直後にカットオフ部材４７がセクターギヤ２７の一部５５によって押し上げられ、トリガー側との連結子４５が押し上げられるため、スイッチ接片４３が戻り、スイッチ端子４４から離れて給電が止まる。図６の状態である。発射ばね２５の蓄圧力を受けているピストン２１は急速に前進し、シリンダー１７内の空気を圧縮するので、圧縮空気は吐出口１８、ノズル１５を経て、装弾室１４に保持されている弾丸Ｂに作用し、発射させることになる。
【００２３】
モードセレクター４６をフルオートモードに切り換えると（図７）、連絡子４５が移動してカットオフ部材４７と接触しない状態となるので、電動機構は常時給電状態となり、引き金４１を引いている間中セクターギヤ２７が回転し続け、ピストン２１の後退、発射ばね２５による前進の動作が繰り返される。セクターギヤ２７の回転に伴い弾丸Ｂは１発ずつ装弾部１４に装填されるので、フルオートモードでは、弾丸Ｂが連続的に発射されることとなる。なお、本発明の電動式玩具銃では銃身部に電源電池が配置されているので、銃身部に電源電池を持たない玩具銃と比較すると前が重くなるが、この重さは、発射状態において、銃がぶれるのを抑制することにも寄与する。
【００２４】
【発明の効果】
本発明は以上の如く構成されかつ作用するものであるから、ピストンシリンダー部及び電動機構をグリップ部側に配置することが可能であり、モデル化できる銃の種類が多種多様となり、また従来のようにピストンシリンダー部を銃身と同軸に配置しなくても必要十分な威力を発揮するものとなり、電源の電池を無理なく収められるので、銃の外形を損うこともない。
【図面の簡単な説明】
【図１】（ａ）本発明に係る電動式玩具銃の実施形態の例を示す側面断面図。
（ｂ）同じく銃身部の横断面図。
【図２】同上のものの分解斜視図。
【図３】（ａ）セミオートモードによる発射前の行程を示す上面図。
（ｂ）同じく側面図。
【図４】（ａ）引き金を引きスイッチが入った状態の上面図。
（ｂ）同じく側面図。
【図５】（ａ）ピストンが後退している途中の状態の上面図。
（ｂ）同じく側面図。
【図６】（ａ）発射直前の状態の上面図。
（ｂ）同じく側面図。
【図７】（ａ）フルオート発射モードによる発射前の行程を示す上面図。
（ｂ）同じく側面図。
【図８】（ａ）発射直前の状態を示す上面図。
（ｂ）同じく側面図。
【符号の説明】
１０  電動式玩具銃
１２  銃身
１３  グリップ部
１４  装弾部
１５  ノズル
１７  シリンダー
２１  ピストン
２４  ラック
２５  発射ばね
２７  セクターギヤ
２９  モーター
３０  歯車組
４１  引き金
４８  電源部
Ｂ    弾丸
【図１】
2005030684.tif 000003
【図２】
2005030684.tif 000004
【図３】
2005030684.tif 000005
【図４】
2005030684.tif 000006
【図５】
2005030684.tif 000007
【図６】
2005030684.tif 000008
【図７】
2005030684.tif 000009
【図８】
2005030684.tif 000010